(57)【要約】【課題】ロール紙収納部の開閉蓋が開くと直線状に伸縮するテンションガイドを引き込み状態に切り替わるロール紙プリンターを提案すること。【解決手段】ロール紙プリンター１のテンションローラー支持機構８０では、テンションローラー１５を支持しているテンションローラーユニット８１、格納ユニット８３がプラテンユニット３０に対して突出方向および引き込み方向に直線往復移動可能であり、格納ユニット８３は開閉蓋４を開くと長尺状の引き込み部材９０によって引き込み方向に引かれて最大引き込み位置に移動し、テンションローラーユニット８１も格納ユニット８３に係合して一緒に最大引き込み位置に移動する。開閉蓋４を開いたときに、テンションローラー１５がロール紙収納部７の開口部に突出してロール紙交換作業などに支障を来すという不具合を解消できる。【選択図】図１６
2011093218.tif 000002
【特許請求の範囲】
【請求項１】
ロール紙収納部と、
前記ロール紙収納部を開閉するための開閉蓋と、
前記開閉蓋の開閉に連動して、印刷ヘッドに対峙した閉じ位置および前記印刷ヘッドから離れた開き位置の間を移動可能なプラテンユニットと、
前記ロール紙収納部から前記印刷ヘッドによる印刷位置に至る記録紙搬送路に沿って搬送される記録紙を所定の緊張状態に保持するために、前記記録紙搬送路に向けて突出する突出方向および当該突出方向とは逆の引き込み方向に直線往復移動可能なテンションガイドと、
前記テンションガイドを前記突出方向に付勢している第１付勢部材と、
前記テンションガイドに対して前記突出方向の側から係合して、当該テンションガイドを前記引き込み方向に移動可能なガイド移動部材と、
前記ガイド移動部材を前記突出方向に付勢している第２付勢部材と、
前記プラテンユニットを前記閉じ位置から前記開き位置まで移動させると、前記ガイド移動部材を、前記第１および第２付勢部材の付勢力に逆らって前記引き込み方向に引き込む引き込み部材とを有し、
前記テンションガイドは、前記突出方向および前記引き込み方向に直線往復移動可能な状態で、前記ガイド移動部材あるいは前記プラテンユニットに搭載されており、
前記ガイド移動部材は、前記突出方向および前記引き込み方向に直線往復移動可能な状態で前記プラテンユニットに搭載されていることを特徴とするロール紙プリンター。
【請求項２】
請求項１において、
前記引き込み部材は可撓性の長尺状部材であり、
前記長尺状部材の一方の第１端は前記ガイド移動部材に連結されており、
前記長尺状部材の他方の第２端は、前記開閉蓋と共に開閉する開閉部材に連結されており、
前記長尺状部材の前記第１端および前記第２端の間の部位は、前記プラテンユニットにおける定まった架け渡し位置に架け渡されており、
前記第１端から前記架け渡し位置を経由して前記第２端に至る部材架け渡し長さは、前記プラテンユニットが前記閉じ位置にある場合に比べて、当該プラテンユニットが前記開き位置にある場合の方が長いことを特徴とするロール紙プリンター。
【請求項３】
請求項２において、
前記長尺状部材は、一方の端が前記第１端である一定の長さの可撓性フィルムと、当該可撓性フィルムの他方の端に一端が連結された弾性伸縮部材とを備えており、当該弾性伸縮部材の他方の端が前記第２端であることを特徴とするロール紙プリンター。
【請求項４】
請求項３において、
前記第１付勢部材は第１引張りコイルばねであり、前記突出方向の端が前記プラテンユニットに連結され、前記引き込み方向の端が前記テンションガイドに連結されており、
前記第２付勢部材は第２引張りコイルばねであり、前記突出方向の端が前記プラテンユンットに連結され、前記引き込み方向の端が前記ガイド移動部材に連結されており、
前記弾性伸縮部材は第３引張りコイルばねであり、
前記プラテンユニットが前記閉じ位置にある場合には、前記第１および第２引張りコイルばねによる合計引張りばね力が前記第３引張りコイルばねの単独引張りばね力より大きく、
前記プラテンユニットが前記閉じ位置から前記開き位置に向かうに連れて前記架け渡し長さが増加すると、前記第３引張りコイルばねが伸びて、当該第３引張りコイルばねの前記単独引張りばね力が前記合計引張りばね力とが釣り合う平衡状態が形成され、この後は、前記ガイド移動部材が前記引き込み部材によって前記引き込み方向に引き込まれ、当該ガイド移動部材によって前記テンションガイドも前記引き込み方向に引き込まれることを特徴とするロール紙プリンター。
【請求項５】
請求項２ないし４のうちのいずれかの項において、
前記架け渡し位置は、前記プラテンユニットに取り付けた少なくとも１個のガイドローラーによって規定されていることを特徴とするロール紙プリンター。
【請求項６】
請求項２ないし４のうちのいずれかの項において、
前記プラテンユニットを前記開閉蓋の開閉に連動させて前記閉じ位置および前記開き位置に移動可能に支持している多節リンク機構を有しており、
前記開閉部材は、前記多節リンク機構を構成している一つのリンクであることを特徴とするロール紙プリンター。
【請求項７】
請求項１ないし４のうちのいずれかの項において、
前記テンションガイドは、記録紙が架け渡されるテンションローラーと、当該テンションローラーを支持しているローラー支持部材とを備えており、
前記ローラー支持部材は、前記突出方向および前記引き込み方向に直線往復移動可能な状態で前記プラテンユニットに搭載されており、
前記第１付勢部材は、前記ローラー支持部材を前記突出方向に付勢していることを特徴とするロール紙プリンター。
【請求項８】
請求項１ないし４のうちのいずれかの項において、
前記プラテンユニットは、前記突出方向に移動する前記テンションガイドおよび前記ガイド移動部材に当接して、これらの最大突出位置を規定する突出位置規制部材と、前記引き込み方向に移動する前記テンションガイドおよび前記ガイド移動部材に当接して、これらの最大引き込み位置を規定する引き込み位置規制部材とを備えており、
前記突出位置規制部材は前記突出方向および前記引き込み方向に直交する方向に延びている第１軸部材であり、
前記引き込み位置規制部材は、前記第１軸部材に対して前記突出方向の側の位置において当該第１軸部材と平行に延びる第２軸部材であり、
前記テンションガイドは、前記第１軸部材および前記第２軸部材が前記突出方向および前記引き込み方向にスライド可能に差し通されている第１スライド溝を備えており、
前記ガイド移動部材は、前記第１軸部材および前記第２軸部材が前記突出方向および前記引き込み方向にスライド可能に差し通されている第２スライド溝を備えていることを特徴とするロール紙プリンター。
【発明の詳細な説明】
【技術分野】
【０００１】
本発明はロール紙収納部に収納されたロール紙から繰り出される長尺状の記録紙に印刷を行うロール紙プリンターに関し、特に、記録紙の送り負荷の変動を抑制するためにロール紙収納部から印刷位置に向けて搬送される記録紙を所定の緊張状態に保持するテンションガイドの支持機構の改良に関する。
【背景技術】
【０００２】
テンションガイドを備えたロール紙プリンターとしては、ロール紙収納部の開閉蓋を開けると、テンションガイドが搭載されているプラテンユニットも一緒に移動して、ロール紙収納部から印刷位置を経由して排出口に至る記録紙搬送路が開放状態に切り替わる構成のものが知られている。この構成のロール紙プリンターでは、開閉蓋と共にプラテンユニットが開いた状態において、プラテンユニットの後端から突出しているテンションガイドがロール紙交換作業の障害になる場合がある。このために、特許文献１においては、上下方向に回動可能なテンションガイドを、プラテンユニットが開くとプラテンユニット側に強制的に回動させ、ロール紙収納部の開口内にテンションガイドが突出しないようにしている。
【先行技術文献】
【特許文献】
【０００３】
【特許文献１】特開２００９−９６０６５号公報
【発明の概要】
【発明が解決しようとする課題】
【０００４】
ここで、回動式のテンションガイドは限られたスペースでその移動範囲を広くすることが困難であり、記録紙の弛み量が多い場合には記録紙の負荷変動を十分に吸収できない。例えば、印刷ヘッドのノズル面が副走査方向（記録紙搬送方向）に広く、印刷ヘッドの１走査毎の記録紙の送り量が多い場合には、回動式のテンションガイドによって記録紙の負荷変動を抑制することが困難であり、直線状に伸縮するテンションローラーなどのテンションガイドを用いることが望ましい。
【０００５】
直線状に伸縮するテンションガイドが搭載されたプラテンユニットを、ロール紙収納部の開閉蓋と一緒に開閉する場合においても、開いた状態においてテンションガイドがロール紙収納部の開口に突出しているとロール紙交換作業の障害となってしまう。しかしながら、従来においては、直線状に伸縮するテンションガイドをロール紙交換作業などの障害とならない状態に切替可能な機構については提案されていない。
【０００６】
本発明の課題は、この点に鑑みて、プラテンユニットがロール紙収納部の開閉蓋と共に開いた場合に、直線状に伸縮するテンションガイドを引き込み状態に切り替える機構を備えたロール紙プリンターを提案することにある。
【課題を解決するための手段】
【０００７】
上記の課題を解決するために、本発明のロール紙プリンターは、
ロール紙収納部と、
前記ロール紙収納部を開閉するための開閉蓋と、
前記開閉蓋の開閉に連動して、印刷ヘッドに対峙した閉じ位置および前記印刷ヘッドから離れた開き位置の間を移動可能なプラテンユニットと、
前記ロール紙収納部から前記印刷ヘッドによる印刷位置に至る記録紙搬送路に沿って搬送される記録紙を所定の緊張状態に保持するために、前記記録紙搬送路に向けて突出する突出方向および当該突出方向とは逆の引き込み方向に直線往復移動可能なテンションガイドと、
前記テンションガイドを前記突出方向に付勢している第１付勢部材と、
前記テンションガイドに対して前記突出方向の側から係合して、当該テンションガイドを前記引き込み方向に移動可能なガイド移動部材と、
前記ガイド移動部材を前記突出方向に付勢している第２付勢部材と、
前記プラテンユニットを前記閉じ位置から前記開き位置まで移動させると、前記ガイド移動部材を、前記第１および第２付勢部材の付勢力に逆らって前記引き込み方向に引き込む引き込み部材とを有し、
前記テンションガイドは、前記突出方向および前記引き込み方向に直線往復移動可能な状態で、前記ガイド移動部材あるいは前記プラテンユニットに搭載されており、
前記ガイド移動部材は、前記突出方向および前記引き込み方向に直線往復移動可能な状態で前記プラテンユニットに搭載されていることを特徴としている。
【０００８】
本発明のロール紙プリンターでは、テンションガイドが突出方向および引き込み方向に直線往復移動可能な状態で支持され、第１付勢部材によって突出方向に付勢されている。プラテンユニットが印刷ヘッドに対峙した閉じ位置にある状態では、第１付勢部材によって付勢されて突出方向に突出しているテンションガイドによって記録紙が所定の緊張状態に保持される。記録紙に作用する負荷変動に応じて、テンションガイドが突出方向および引き込み方向に移動して負荷変動を抑制している。
【０００９】
また、ガイド移動部材は、プラテンユニットによって突出方向および引き込み方向に直線往復移動可能に支持され、第２付勢部材によって突出方向に付勢されている。開閉蓋を開くとプラテンユニットも一緒に開き、引き込み部材によってガイド移動部材が引き込み方向に引き込まれる。ガイド移動部材が引き込まれると、テンションガイドも当該ガイド移動部材に係合し、当該ガイド移動部材によって引き込み方向に引き込まれる。この結果、プラテンユニットを開くとテンションガイドは引き込み状態となり、当該テンションガイドがロール紙収納部の開口内に突出してロール紙交換作業に支障を来すという不具合を回避できる。
【００１０】
本発明において、前記引き込み部材は可撓性の長尺状部材であり、前記長尺状部材の一方の第１端は前記ガイド移動部材に連結されており、前記長尺状部材の他方の第２端は前記開閉蓋と共に開閉する開閉部材に連結されており、前記長尺状部材の前記第１端および前記第２端の間の部位は、前記プラテンユニットにおける定まった架け渡し位置に架け渡されており、前記第１端から前記架け渡し位置を経由して前記第２端に至る部材架け渡し長さは、前記プラテンユニットが前記閉じ位置にある場合に比べて、当該プラテンユニットが前記開き位置にある場合の方が長いことを特徴としている。
【００１１】
長尺状部材の第１端、第２端の連結位置、架け渡し位置を適切に設定しておくことにより、部材架け渡し長さの増加量を調整でき、プラテンユニットが開いたときに、テンションガイドを目標とする位置まで引き込むことが可能である。
【００１２】
ここで、前記長尺状部材として、一方の端が前記第１端である一定の長さの可撓性フィルムと、当該可撓性フィルムの他方の端に一端が連結された弾性伸縮部材とを備え、当該弾性伸縮部材の他方の端である前記第２端を前記開閉部材に連結した構成のものを用いることが望ましい。弾性伸縮部材の弾性変形によって可撓性フィルムを弛みの無い状態に維持できる。よって、プラテンユニットを閉じたときに、部材架け渡し長さが短くなり、その分、可撓性フィルムに弛みが生じ、当該弛み部分がロール紙プリンター内の部品などに干渉してしまうという不具合を回避できる。
【００１３】
次に、第１付勢部材、第２付勢部材および弾性伸縮部材として、引張りコイルばねを用いることができる。すなわち、前記第１付勢部材を第１引張りコイルばねとし、その前記突出方向の端を前記プラテンユニットに連結し、その前記引き込み方向の端を前記プラテンガイドに連結する。また、前記第２付勢部材を第２引張りコイルばねとし、その前記突出方向の端を前記プラテンユンットに連結し、その前記引き込み方向の端を前記ガイド移動部材に連結する。さらに、前記弾性伸縮部材を第３引張りコイルばねとする。
【００１４】
この場合には、前記プラテンユニットが前記閉じ位置にある場合には、前記第１および第２引張りコイルばねによる合計引張りばね力が前記第３引張りコイルばねの単独引張りばね力より大きくなるように設定しておく。また、前記プラテンユニットが前記閉じ位置から前記開き位置に向かうに連れて前記距離が増加すると、前記第３引張りコイルばねが伸びて、当該第３引張りコイルばねの前記単独引張りばね力が前記合計引張りばね力と等しくなる平衡状態が形成されるように設定しておく。平衡状態が形成された後は、前記引き込み部材の架け渡し長さの増加に伴って、前記ガイド移動部材が前記引き込み部材によって前記引き込み方向に引き込まれ、当該ガイド移動部材によって前記テンションガイドも前記引き込み方向に引き込まれる。
【００１５】
本発明において、前記引き込み部材の前記架け渡し位置を、前記プラテンユニットに取り付けた少なくとも１個のガイドローラーによって規定することができる。ガイドローラーを用いることにより、引き込み部材をスムーズに移動させることができる。
【００１６】
本発明において、前記プラテンユニットを前記開閉蓋の開閉に連動させて前記閉じ位置および前記開き位置に移動可能に支持している多節リンク機構を有している場合には、前記引き込み部材が連結されている前記開閉部材を、前記多節リンク機構を構成している一つのリンクとすることができる。ロール紙プリンターでは開閉蓋と共に開閉するプラテンユニットの支持機構として４節の平行リンク機構などの多節リンク機構が用いられているので、かかるリンク機構の構成部品であるリンクを利用することにより、開閉部材として別部品を配置する必要がない。
【００１７】
本発明において、前記テンションガイドとして、記録紙が架け渡されるテンションローラーと、当該テンションローラーを支持しているローラー支持部材とを備えた構成のものを用いることができる。この場合には、前記ローラー支持部材を、前記突出方向および前記引き込み方向に直線往復移動可能な状態で前記ガイド移動部材によって支持し、前記第１付勢部材によって前記ローラー支持部材を前記突出方向に付勢しておけばよい。
【００１８】
本発明において、テンションガイドおよびガイド移動部材が突出方向および引き込み方向に必要以上に移動してしまうことが無いように、前記プラテンユニットに、前記突出方向に移動する前記テンションガイドおよび前記ガイド移動部材に当接して、これらの最大突出位置を規定する突出位置規制部材と、前記引き込み方向に移動する前記テンションガイドおよび前記ガイド支持部材に当接して、これらの最大引き込み位置を規定する引き込み位置規制部材とを設けておくことが望ましい。
【００１９】
前記突出位置規制部材として、前記突出方向および前記引き込み方向に直交する方向に延びている第１軸部材を用いることができ、同様に、前記引き込み位置規制部材として、前記第１軸部材に対して前記突出方向の側の位置において当該第１軸部材と平行に延びる第２軸部材を用いることができる。この場合には、前記テンションガイドには、前記第１軸部材および前記第２軸部材が前記突出方向および前記引き込み方向にスライド可能に差し通されている第１スライド溝を形成しておき、前記ガイド移動部材には、前記第１軸部材および前記第２軸部材が前記突出方向および前記引き込み方向にスライド可能に差し通されている第２スライド溝を形成しておけばよい。軸部材とスライド溝を用いることにより、テンションガイドおよびガイド移動部材の双方を精度良く位置決め可能な機構を簡単な構造により実現できる。
【発明の効果】
【００２０】
本発明のロール紙プリンターにおいては、テンションガイドに突出方向の側から係合可能なガイド移動部材を配置し、当該ガイド移動部材を第２付勢部材によって突出方向に付勢している。プラテンユニットが閉じ位置にある状態では、ガイド移動部材は突出方向に付勢されているので、テンションガイドは記録紙に送り負荷に応じて突出方向および引き込み方向に移動して当該記録紙を所定の緊張状態に維持する。プラテンユニットが開くと、ガイド移動部材が引き込み部材によって引き込み方向に引き込まれ、当該ガイド移動部材がテンションガイドに係合して当該テンションガイドも引き込み方向に引き込む。したがって、プラテンユニットを開くとテンションガイドは引き込み状態となり、当該テンションガイドがロール紙収納部の開口内に突出してロール紙交換作業に支障を来すという不具合を回避できる。
【図面の簡単な説明】
【００２１】
【図１】本発明を適用したロール紙プリンターを示す外観斜視図である。
【図２】図１のロール紙プリンターの開閉蓋を開けた状態の外観斜視図である。
【図３】図１のロール紙プリンターの内部構造を示す概略縦断面図である。
【図４】図１のロール紙プリンターの開閉蓋を開けた状態の概略縦断面図である。
【図５】閉じ位置にあるプラテン支持機構を示す説明図である。
【図６】開き始めの状態のプラテン支持機構の説明図である。
【図７】途中位置の手前まで開いた状態のプラテン支持機構の説明図である。
【図８】途中位置まで開いた状態のプラテン支持機構の説明図である。
【図９】開き位置手前まで開いた状態のプラテン支持機構の説明図である。
【図１０】開き位置にあるプラテン支持機構の説明図である。
【図１１】テンションローラー支持機構を示す平面図、側面図および端面図である。
【図１２】引き込み状態のテンションローラー支持機構を示す平面図、側面図である。
【図１３】テンションローラー支持機構の主要部を示す斜視図である。
【図１４】テンションローラー支持機構の主要部を示す側面図である。
【図１５】テンションローラー支持機構の主要部を示す斜視図である。
【図１６】テンションローラー支持機構の動作を示す説明図である。
【図１７】テンションローラー支持機構の各部の状態の変化を示すグラフである。
【発明を実施するための形態】
【００２２】
以下に、図面を参照して、本発明をインクジェット式のロール紙プリンターに適用した実施の形態を説明する。
【００２３】
（ロール紙プリンターの全体構成）
図１は本発明を適用したロール紙プリンターを示す外観斜視図であり、図２は開閉蓋を開けた状態の外観斜視図である。図示のロール紙プリンター１は、複数種類のカラーインクを用いてロール紙から繰り出される長尺状の記録紙にカラー印刷を行うものであり、全体として直方体形状をしたプリンターケース２を備え、このプリンターケース２の前面中央部分にはロール紙装着用の開口部３が形成されている。開口部３には開閉蓋４が取り付けられており、開閉蓋４の上端には記録紙排出ガイド５が配置されている。記録紙排出ガイド５とプリンターケース２の開口部３の上縁部分との間に記録紙排出口６が形成されている。
【００２４】
記録紙排出ガイド５の前端下側の部位には、プリンター幅方向の中央部に下方に突出した操作片５ａが取り付けられている。この操作片５ａに指を掛けてプリンター前方に引くと、当該操作片５ａが前方に回動して不図示のロックが解除され、開閉蓋４をプリンター前方に開けることが可能になる。この状態で操作片５ａを更に手前に引くと、開閉蓋４を図１に示す開閉蓋閉じ位置４Ａから、下端を中心として前方に倒れた図２に示す開閉蓋開き位置４Ｂまで開けることができる。開閉蓋４が開くと、プリンター本体内部に形成されているロール紙収納部７が開口し、ロール紙の交換作業などを行うことができる。
【００２５】
プリンターケース２の前面における開閉蓋４の右側部分には電源スイッチ８ａ、紙送りスイッチ８ｂ、複数個の動作状態表示ランプ８ｃなどが配列されている。プリンターケース２の前面における開閉蓋４の左側部分には、プリンター前後方向に延びる縦長の長方形断面のインクカートリッジ装着部９の装着口９ａが開口しており、このインクカートリッジ装着部９にインクカートリッジ１０が装着されている。
【００２６】
（内部構造）
図３はロール紙プリンター１の内部構造を示す縦断面図であり、図４は開閉蓋４を開いた状態の縦断面図である。これらの図を参照して説明すると、ロール紙収納部７は上方に開口している湾曲状断面のロール紙受け皿１１を備えており、ここに、ロール紙１２が転動可能な状態で収納される。ロール紙１２におけるプリンター後側の部位から巻き出される長尺状の記録紙１３は、繰り出しローラー１４および、これよりもプリンター後方および上方に位置しているテンションローラー１５を介して、ロール紙収納部７の上方および後方側の部位からプリンター前方に向けて引き出される。テンションローラー１５から前方に向けて引き出される記録紙１３は、ロール紙収納部７の真上に位置するプラテン１６の上面に沿って前方に引き出され、記録紙排出口６からプリンター前方に引き出される。
【００２７】
プラテン１６の真上には、印刷ヘッド１７（インクジェットヘッド）が搭載されたヘッドキャリッジ１８がガイド軸１９に沿ってプリンター幅方向に往復移動可能な状態に配置されている。印刷ヘッド１７のノズル面１７ａは一定のギャップでプラテン１６の上面に対峙するようになっている。プラテン１６の後側には、紙送り駆動ローラー２０が配置されており、この紙送り駆動ローラー２０には、紙送り従動ローラー２１が下側から圧接されている。プラテン１６の前側には、排紙駆動ローラー２２が配置されており、この排紙駆動ローラー２２には上側から排紙従動ローラー２３が圧接されている。
【００２８】
記録紙１３は、繰り出しローラー１４、テンションローラー１５から紙送り駆動ローラー２０および紙送り従動ローラー２１の間を通ってプラテン１６の上面によって規定される印刷位置を経由する記録紙搬送路に沿って搬送され、排紙駆動ローラー２２および排紙従動ローラー２３の間を通って記録紙排出口６に向けて送り出される。テンションローラー１５によって記録紙は所定の緊張状態に保持される。テンションローラー１５は記録紙搬送路に沿って搬送される記録紙１３に向けて突出する方向および、これとは逆の引き込み方向に直線往復移動可能な状態で支持されている直線状に伸縮可能なテンションガイドである。テンションローラー１５の伸縮によって、記録紙１３に作用する負荷変動が緩和され、紙送り駆動ローラー２０に作用する紙送り負荷が一定に保持され、記録紙１３の搬送を精度良く行うことができる。
【００２９】
印刷位置を通る記録紙１３の表面には、印刷ヘッド１７によって印刷が施される。排紙駆動ローラー２２、排紙従動ローラー２３の間から送り出された記録紙１３は、記録紙排出口６の近傍に配置されている記録紙切断機構２５の固定刃２５ａおよび可動刃２５ｂの間の位置において、その幅方向に切断される。切断により得られた一定長さの記録紙片（図示せず）がレシートなどとして発行される。
【００３０】
（プラテンユニット）
図４から分かるように、プラテン１６、紙送り従動ローラー２１、排紙駆動ローラー２２、記録紙切断機構２５の可動刃２５ｂおよびその駆動機構が、プラテンユニットフレーム８４に搭載され、一体となって移動するプラテンユニット３０を構成している。また、プラテンユニット３０の後端にはテンションローラー１５がプリンター幅方向に架け渡された状態で搭載されており、プラテンユニット３０の前端には記録紙排出ガイド５が取り付けられている。プラテンユニット３０は、通常は、プラテン１６が印刷ヘッド１７による印刷位置を規定している状態の位置、すなわち、図３に示す閉じ位置３０Ａに位置している。
【００３１】
不図示のロックを解除して記録紙排出ガイド５の操作片５ａを手前に引くと、開閉蓋４と共にプラテンユニット３０を図４に示す開き位置３０Ｂまで引き出すことができる。本例では、後述のように、プラテンユニット３０は閉じ位置３０Ａからプリンター前方に向けて直線状の第１移動軌跡Ｓ１に沿って引き出されて、しかる後に、円弧状の第２移動軌跡Ｓ２に沿って前方および下方に移動して開き位置３０Ｂに至る。プラテンユニット３０を開くと、ロール紙収納部７から記録紙排出口６に至る記録紙搬送路が開放状態に切り替わり、ロール紙交換作業などを簡単に行うことができる。
【００３２】
開閉蓋４はプラテンユニット３０に連結されており、プラテンユニット３０が手前に引き出されると、開閉蓋４はその下端の支軸４ａを中心として手前に開くようになっている。さらに、本例では、ロール紙収納部７のロール紙受け皿１１も図４に示すように、プリンター前方に所定の角度だけ前傾した姿勢の位置まで旋回するようになっている。
【００３３】
（プラテン支持機構）
次に、プラテンユニット３０を開閉蓋４と共に閉じ位置３０Ａから開き位置３０Ｂまでの間を移動可能な状態で支持しているプラテン支持機構を説明する。プラテン支持機構は６節リンク機構を中心に構成されている。プラテン支持機構としては特許文献１に記載されている４節の平行リンク機構などの多節リンク機構、あるいは、それ以外の支持機構を用いることも可能である。
【００３４】
図５はプラテン支持機構を示す説明図であり、図５（ａ）はロール紙プリンター１のプラテン支持機構を示す左側面図であり、図５（ｂ）はその模式図である。これらの図を参照して説明すると、本例のプラテン支持機構は、ロール紙プリンター１の右側面の側に配置された右側プラテン支持機構と左側面の側に配置された左側プラテン支持機構とを備えている。これらのプラテン支持機構の基本構造は同一であり、左右対称の状態に構成されている。
【００３５】
図５には左側のプラテン支持機構４０を示してあり、当該プラテン支持機構４０は、プラテンユニット３０を、閉じ位置３０Ａ（図３に示す位置）から第１移動軌跡Ｓ１に沿って開き位置３０Ｂ（図４に示す位置）に至る途中の途中位置まで案内するガイド機構４１と、第１移動軌跡Ｓ１に沿って案内されるプラテンユニット３０を所定の姿勢に維持すると共に、途中位置から開き位置３０Ｂまでプラテンユニット３０を所定の姿勢に維持した状態で円弧状の第２移動軌跡Ｓ２に沿って移動させる６節リンク機構４２とを有している。
【００３６】
ガイド機構４１は、プラテンユニット３０を閉じ位置３０Ａからプリンター前方に向けて直線状の第１移動軌跡Ｓ１に沿って案内するためのプラテンユニットガイド溝４３を備えている。プラテンユニットガイド溝４３はプリンター本体フレームにおける左側の側板３８において、その前端縁から一定の幅でプリンター後方に所定の長さに渡って切り込むことにより形成した溝である。本例のプラテンユニットガイド溝４３は、そのプリンター後端側の部分が一段高い位置決め用ガイド溝部分４３ａとなっており、この位置決め用ガイド溝部分４３ａからプリンター前方に向けて直線状ガイド溝部４３ｂが形成されており、その前端には、その下側のガイド面に連続した下方に所定の角度で傾斜した傾斜ガイド面４３ｃが連続している。
【００３７】
また、ガイド機構４１は、プラテンユニット３０の後ろ側の部位においてプリンター幅方向に架け渡した支軸４４を備えている。支軸４４の軸端部４４ａはプラテンユニット３０からプリンター幅方向に突出しており、内側側板３８に形成されているプラテンユニットガイド溝４３にスライド可能な状態で差し込まれている。したがって、プラテンユニット３０を手前に引き出すと、当該プラテンユニット３０はプラテンユニットガイド溝４３に沿って移動する。
【００３８】
次に、６節リンク機構４２は、第１リンク５１および第２リンク５２が第１ピン節点６１を介して直列に連結された構成の第１複合リンク７１と、第３リンク５３および第４リンク５４が第２ピン節点６２を介して直列に連結された構成の第２複合リンク７２と、第１複合リンク７１の第１ピン節点６１および第２複合リンク７２の第２ピン節点６２の間に架け渡されている第５リンク５５とを備えている。第２複合リンク７２は第２複合リンク７２に対してプリンター後方側に離れて位置している。
【００３９】
第１複合リンク７１の下端および第２複合リンク７２の下端は、それぞれ、プリンター前後方向に沿って見た場合に、一定の距離だけ離れた前後の定まった位置にある第３ピン節点６３および第４ピン節点６４に連結されている。第３、第４ピン節点６３、６４は、内側側板３８あるいは底板３２にプリンター幅方向に延びる状態に取り付けた支軸ピンによって規定されている。
【００４０】
同様に、第１複合リンク７１の上端および第２複合リンク７２の上端は、それぞれ、所定の距離だけプリンター前後方向に離れたプラテンユニット３０の側面の部位に、第５ピン節点６５および第６ピン節点６６を介して連結されている。後側の第６ピン節点６６は、プラテンユニットガイド溝４３に沿ってスライド可能な支軸４４の軸端部４４ａによってその回動中心が規定されている。このように、第１〜第５リンク５１〜５５と、プラテンユニット３０とによって、６節リンク機構４２が構成されている。
【００４１】
６節リンク機構４２においては、閉じ位置３０Ａに位置するプラテンユニット３０を支持している前後の第１複合リンク７１および第２複合リンク７２が、前方に屈曲した状態となっている。すなわち、第１複合リンク７１の第１リンク５１と第２リンク５２は、それらの連結点である第１ピン節点６１がプリンター前方に突出した状態に折れ曲がっている。同様に、後側の第２複合リンク７２の第３リンク５３と第４リンク５４は、それらの連結点である第２ピン節点６２がプリンター前方に突出した状態に折れ曲がっている。
【００４２】
折れ曲がった状態の前側の第１複合リンク７１と後側の第２複合リンク７２の間は第５リンク５５によって連結されている。したがって、プラテンユニット３０がプラテンユニットガイド溝４３に案内されて前方にスライドする間、すなわち、６節リンク機構４２に第６ピン節点６６（軸端部４４ａ）の高さ位置がプラテンユニットガイド溝４３によって規定されている間は、プラテンユニット３０はその姿勢が一定の状態に保持されたまま前方にスライドする。
【００４３】
また、プラテンユニット３０が前方にスライドするに連れて、前後の複合リンク７１、７２が徐々に伸びるように設定されている。さらに、前後の複合リンク７１、７２のリンク長、すなわち、折れ曲がり状態が解消されて伸び切った状態における長さが同一とされている。換言すると、伸び切った状態における第１複合リンク７１の上下の第５ピン節点６５と第３ピン節点６３の最大間隔と、伸長状態における後側の第２複合リンク７２の上下の第６ピン節点６６と第４ピン節点６４の最大間隔とが同一に設定されている。さらには、第２複合リンク７２の上端の第６ピン節点６６を規定している支軸４４の軸端部４４ａがプラテンユニットガイド溝４３の直線状ガイド溝４３ｂの前端から傾斜ガイド面４３ｃに移る時点（閉じ位置３０Ａから開き位置３０Ｂの間の途中位置）において、前後の複合リンク７１、７２が伸びきった状態になるように設定されている。
【００４４】
ここで、前側の第１複合リンク７１において、その第１リンク５１および第２リンク５２は、それらが直線状に伸び切った後は相互に係合状態になり、反対側に屈曲しないように構成されている。したがって、複合リンク７１、７２が伸び切った後は、これらの複合リンク７１、７２と、プラテンユニット３０とによって、４節の平行リンク機構が構成された状態になる。よって、この後は、プラテンユニット３０は、前後の複合リンク７１、７２のリンク長によって規定される円弧状の第２移動軌跡Ｓ２に沿って開き位置３０Ｂまで一定の姿勢を維持したまま倒れることになる。
【００４５】
一方、プラテンユニット３０の前端部の下面と、プリンター本体フレームの下端部との間には、上下に伸縮可能な開閉蓋取り付け枠４６が架け渡されている。図３、４に示すように、この開閉蓋取り付け枠４６は、プリンター本体フレームの側に取り付けられている下側枠４６ａと、プラテンユニット３０の側に取り付けられている上側枠４６ｂとを備えている。これらの下側枠４６ａおよび上側枠４６ｂは相互にスライド可能な状態で連結されており、下側枠４６ａの前面に開閉蓋４が取り付けられている。
【００４６】
（プラテンユニットの開閉動作）
図５に示すように、プラテンユニット３０が閉じ位置３０Ａにある状態では、プラテンユニット３０の後ろ側に取り付けられている支軸４４の軸端部４４ａがプラテンユニットガイド溝４３における後端部の位置決め用ガイド溝部分４３ａに位置している。この状態では、プラテンユニット３０に搭載されている紙送り従動ローラー２１および排紙駆動ローラー２２がそれぞれプリンター本体側の紙送り駆動ローラー２０および排紙従動ローラー２３に圧接された状態が形成されている。また、プラテンユニット３０に搭載されているプラテン１６は印刷ヘッド１７のノズル面１７ａに一定のギャップで対峙する位置に位置決めされている。さらに、この状態では、プラテンユニット３０の後端部に搭載されているテンションローラー１５が後方に突出しており、記録紙１３を所定の緊張状態に保持している（図３参照）。この閉じ状態では、６節リンク機構４２の前後の複合リンク７１、７２が前側に折れ曲がってリンク長が縮んだ状態にある。
【００４７】
プラテンユニット３０の前端に取り付けられている記録紙排出ガイド５の操作片５ａを手前に回動させてロックを解除した後に当該操作片５ａを手前に引くと、プラテンユニット３０がプラテンユニットガイド溝４３に沿ってプリンター前方に引き出される。プラテンユニット３０の軸端部４４ａが後端の位置決め用ガイド溝部分４３ａから前側の一段低い直線状ガイド溝部分４３ｂに移動すると、プラテンユニット３０が全体として一段下がり、紙送り従動ローラー２１、排紙駆動ローラー２２がそれぞれプリンター本体側の紙送り駆動ローラー２０、排紙従動ローラー２３から下方に離れる。
【００４８】
図６（ａ）はこの状態のプラテンユニット３０を示す説明図であり、図６（ｂ）はその模式図である。この後は、プラテンユニット３０は、直線状ガイド溝部分４３ｂに沿って前方に直線状に引き出される。プラテンユニット３０は一段低い位置を６節リンク機構４２によって姿勢が保持された状態で前方に移動するので、上側に配置されているプリンター本体側に配置されている各部品に干渉することなく前方に引き出される。また、下側に収納されているロール紙１２にも干渉することなく前方に引き出される。
【００４９】
このように、プラテンユニット３０は、その前端の操作片５ａに加わる操作力の作用方向に向けて直線状に引き出される。４節の平行リンク機構によって支持されているプラテンユニットの場合には円弧状の軌跡によって引き出されるので、操作力の方向とプラテンユニットの移動方向が一致せず、プラテンユニットをスムーズに引き出すことができない。本例では、リンク機構に拘束されることなく、直線状のガイド溝部分４３ｂに沿ってプラテンユニット３０をスムーズに小さな操作力で引き出すことができる。
【００５０】
なお、本例では直線状の第１移動軌跡Ｓ１（例えば、後ろ側の軸端部４４ａ、第６ピン節点６６の描く軌跡）に沿ってプラテンユニット３０を引き出すようにしているが、第１移動軌跡Ｓ１は６節リンク機構４２による制約がないので、操作性に問題が無い限り、直線状に限らず、円弧状の移動軌跡、段状の移動軌跡など、複合リンク７１、７２が伸長可能は高さの範囲内において任意の移動軌跡に沿ってプラテンユニット３０を引き出すことができるという利点がある。
【００５１】
図７は、このようにプラテンユニット３０が直線状に前方に引き出されている状態を示す説明図である。この図に示すように、プラテンユニット３０が前方に引き出されるのに伴って、折り曲げ状態の前後の複合リンク７１、７２が徐々に上下に引き伸ばされる。先に述べたように、プラテンユニット３０の後側の支軸４４の軸端部４４ａがプラテンユニットガイド溝４３の直線状ガイド溝部分４３ｂの前端に至ると、前後の複合リンク７１、７２が伸び切った状態（最大のリンク長）になる。
【００５２】
図８（ａ）はこの状態のプラテンユニット３０を示す説明図であり、図８（ｂ）はその模式図である。軸端部４４ａが直線状ガイド溝部分４３ｂの前端から円弧状の傾斜ガイド面４４ｃに移る時点までは直線状の第１移動軌跡Ｓ１に沿ってプラテンユニット３０が前方に引き出される。この後は、伸び切った前後の複合リンク７１、７２と、プラテンユニット３０とによって、４節の平行リンク機構が構成された状態になる。
【００５３】
すなわち、前側の複合リンク７１の第１リンク５１の上端面が上側の第２リンク５２の下端に形成した掛止片５２ａに当接し、第１複合リンク７１は伸び切った直線状態に保持される。したがって、当該第１複合リンク７１に第５リンク５５によって連結されている後側の第２複合リンク７２も伸び切った状態に保持され、これら２本の固定リンク長のリンクとプラテンユニット３０とによって４節の平行リンク機構が構成される。この後は、前後の複合リンク７１、７２によって規定される円弧状の第２移動軌跡Ｓ２（例えば、後側の軸端部４４ａ、第６ピン節点６６の描く移動軌跡）に沿ってプラテンユニット３０はその姿勢を維持した状態で前方の開き位置３０Ｂまで引き出される。
【００５４】
図９（ａ）は６節リンク機構４２が４節の平行リンク機構の状態でプラテンユニット３０を前方に移動させていく状態を示す説明図であり、図９（ｂ）はその模式図である。前後の複合リンク７１、７２は伸び切った状態（最大のリンク長の状態）で前方に旋回するので、曲率半径の大きな円弧状の第２移動軌跡Ｓ２に沿ってプラテンユニット３０が前方に移動する。したがって、その下側に位置するロール紙１２などに干渉することなくプラテンユニット３０を手前側の開き位置３０Ｂまで引き出すことができる。図１０には開き位置３０Ｂまで引き出された状態のプラテンユニット３０を示してある。
【００５５】
（テンションローラー支持機構）
次に、図１１は、プラテンユニット３０に搭載されている、テンションローラー１５を支持するテンションローラー支持機構を示す図であり、（ａ）はその平面図であり、（ｂ）はその側面図であり、（ｃ）はプリンター後側から見た端面図である。図１３（ａ）は、テンションローラー支持機構のテンションローラーユニットおよび格納ユニットを示す斜視図であり、図１４（ａ）はテンションローラー支持機構の格納ユニットおよび引き込み部材を示す側面図である。
【００５６】
これらの図を参照して説明すると、本例のテンションローラー支持機構８０は、テンションローラー１５を備えたテンションローラーユニット８１（テンションガイド）を備えている。テンションローラーユニット８１は、プリンター前後方向に平行に延びる左右の側板８２ａ、８２ｂと、これらの間に架け渡したプリンター幅方向に延びる底板８２ｃとを備えたローラー支持部材８２を有している。このローラー支持部材８２における左右の側板８２ａ、８２ｂの後端部の間に、プリンター幅方向にローラー軸１５ａが架け渡されており、このローラー軸１５ａの中央にテンションローラー１５が回転自在の状態で取り付けられている。なお、記録紙１３を緊張状態に保持するためのテンションガイドとしては、テンションローラーの代わりに、円弧状の記録紙当接面を備えたものであってもよい。
【００５７】
テンションローラーユニット８１はプラテンユニット３０のプラテンユニットフレーム８４によってプリンター前後方向に直線往復移動可能な状態で支持されている。すなわち、プリンター後方（ロール紙収納部７から印刷位置に至る記録搬送路に向かう方向）に突出する突出方向Ａおよび当該突出方向とは逆のプリンター前方である引き込み方向Ｂに直線往復移動可能な状態で支持されている。
【００５８】
また、テンションローラー支持機構８０は格納ユニット８３（ガイド移動部材）を備えており、この格納ユニット８３は、プリンター前後方向に延びる平行な左右の側板８３ａ、８３ｂと、これらの間を連結しているプリンター幅方向に延びる底板８３ｃとを備えている。左右の側板８３ａ、８３ｂは、テンションローラーユニット８１の左右の側板８２ａ、８２ｂの外側面に沿って延びており、底板８３ｃはテンションローラーユニット８２の底板８２ａの下面に沿って延びている。格納ユニット８３はプラテンユニット３０のプラテンユニットフレーム８４によってプリンター前後方向に直線往復移動可能な状態で支持されている。すなわち、格納ユニット８３はテンションローラーユニット８１の移動方向と平行な方向である突出方向および引き込み方向に直線往復移動可能な状態で支持されている。
【００５９】
プラテンユニットフレーム８４は、プリンター前後方向に延びる左右の側板８４ａ、８４ｂと、これらの上端の間においてプリンター幅方向に架け渡されている天板８４ｃとを備えている。左右の側板８４ａ、８４ｂの内側に、格納ユニット８３が配置されており、格納ユニット８３の左右の側板８３ａ、８３ｂの内側に、テンションローラーユニット８１が配置されている。
【００６０】
ここで、テンションローラーユニット８１は、左右一対のテンションローラーユニットばね８５（第１引張りコイルばね）によって突出方向Ａに常に引かれている。テンションローラーユニットばね８５は、その突出方向および引き込み方向に沿って配置されており、その突出側の端がプラテンユニット３０のプラテンユニットフレーム８４の左右の部位に形成したばね掛け８４ｄに掛けられ、その引き込み側の端がローラー支持枠８２における底板８２ｃの前端面の左右の部位を切り起こした形成したばね掛け８２ｈに掛けられている。
【００６１】
同様に、格納ユニット８３も、左右一対の格納ユニットばね８６（第２引張りコイルばね）によって、プラテンユニット３０のプラテンユニットフレーム８４に対して、突出方向Ａに常に引かれている。格納ユニットばね８６は、その突出方向および引き込み方向に沿って配置されており、その突出側の端がプラテンユニット３０のプラテンユニットフレーム８４の左右の部位に形成したばね掛け８４ｄに掛けられ、その引き込み側の端が格納ユニット８３の左右の側板の前端下部から内側に延びるばね掛け８３ｈに掛けられている。
【００６２】
また、格納ユニット８３には長尺状の引き込み部材９０が連結されており、当該引き込み部材９０によって、開閉蓋４を開ける動作、すなわちプラテンユニット３０が開く動作に連動して、格納ユニット８３が、プラテンユニット３０のプラテンユニットフレーム８４に対して、引き込み方向Ｂに引かれるようになっている。
【００６３】
さらに、格納ユニット８３の底板８３ｃは、プリンター前側に面する前端縁部８３ｄを備えている。テンションローラーユニット８１のローラー支持枠８２の底板８２ｃには、下方に向けて前端縁部８３ｄよりも下方まで延びる垂直に折り曲げた左右一対の係合片８２ｄが形成されている。格納ユニット８３の前端縁部８３ｄは、係合片８２ｄよりも突出側（プリンター後側）から当該係合片８２ｄに当接している。したがって、格納ユニット８３が引き込み側に移動すると、当該前端縁部８３ｄと係合片８２ｄが係合して、テンションローラーユニット８１を引き込み方向に一緒に移動させることが可能となっている。突出方向においては、テンションローラーユニット８１は単独で移動可能である。
【００６４】
次に、プラテンユニット３０のプラテンユニットフレーム８４における左右の側板８４ａ、８４ｂの間には、突出方向および引き込み方向に一定の間隔を開けた状態で、第１軸部材８７および第２軸部材８８がプリンター幅方向に平行に架け渡されている。格納ユニット８３の左右の側板８３ａ、８３ｂには突出方向および引き込み方向に延びる一定幅の第２スライド溝８３ｅが形成されている。この内側に位置するテンションローラーユニット８１のローラー支持枠８２における左右の側板８２ａ、８２ｂにも、同一位置に、同一方向に延びる同一長さの第１スライド溝８２ｅが形成されている。
【００６５】
第１軸部材８７および第２軸部材８８は、これらの第１、第２スライド溝８２ｅ、８３ｅにスライド可能な状態で差し通されている。これら一対の軸部材８７、８８によって、格納ユニット８３はプリンター前後方向に平行に延びる姿勢でプラテンユニットフレーム８４によって支持されており、テンションローラーユニット８１も同様な姿勢でプラテンユニットフレーム８４によって支持されている。テンションローラーユニット８１を、突出方向および引き込み方向に直線往復移動可能な状態で、格納ユニット８３によって直接に支持するようにすることもできる。
【００６６】
テンションローラーユニット８１および格納ユニット８３は、それらの第１、第２スライド溝８２ｅ、８３ｅにおける突出側の端８２ｆ、８３ｆが第１軸部材８７に当接することにより、これらのユニット８１、８３の最大引き込み位置が規定される。同様に、それらの第１、第２スライド溝８２ｅ、８３ｅの引き込み側の端８２ｇ、８３ｇが第２軸部材８８に当接することにより、これらのユニット８１、８３の最大突出位置が規定される。軸部材とは異なる形状の位置規制部材を用いて最大突出位置および最大引き込み位置を規定することも可能である。
【００６７】
次に、図１５は格納ユニット８３、引き込み部材９０および６節リンク機構４２の第２リンク５２を示す説明図である。図１４（ａ）および図１５を主に参照して引き込み部材９０について説明する。本例の引き込み部材９０は、所定幅の長尺状の可撓性フィルム９１とフィルム引張りコイルばね９２（第３引張りコイルばね）を備えており、可撓性フィルム９１の一方の端にフィルム引張りコイルばね９２の一方の端が連結されている。例えば、４本の引張りコイルばね９２が連結されている。
【００６８】
可撓性フィルム９１の他方の端９１ａは格納ユニット８３の底板８３ｃにおけるプリンター幅方向の中央位置に取り付け金具９３によって固定されており、この固定位置を第１端９４と呼ぶものとする。また、フィルム引張りコイルばね９２の他方の端は、先に述べた６節リンク機構４２における前側の第１複合リンク７１の上側の第２リンク５２（開閉部材）における第１ピン節点６１に近い部位に形成したばね掛け５２ａに掛けてある。この位置を第２端９５と呼ぶものとする。
【００６９】
プラテンユニット３０のプラテンユニットフレーム８４の前端下側の部位には、プリンター幅方向に平行に延びる前後一対のガイドプーリー９６、９７が回転自在の状態で支持されている。長尺状の可撓性フィルム９１はその途中の部位が、これらのガイドプーリー９６、９７の上側に架け渡された状態に配置されており、前側のガイドプーリー９６から前方に引き出されている部分は、第２リンク５２に形成されている開口５２ｂを通って前側に引き出され、フィルム引張りコイルばね９２に連結されている。
【００７０】
この構成の引き込み部材９０における格納ユニット８３に連結されている第１端９４と、第２リンク５２に連結されている第２端９５との間における引き込み部材９０の部材架け渡し長さは、プラテンユニット３０が閉じ位置３０Ａから開き位置３０Ｂに向かう途中の位置から開き位置３０Ｂに向かうに連れて漸増するように、これらの第１端９４、第２端９５の位置が設定されている。長尺状の可撓性フィルム９１は一定の長さのものであり、第１端９４、第２端９５の間の部材架け渡し長さが増減しても長さ方向には伸縮しない。長さ方向の伸縮の一部はフィルム引張りコイルばね９２、格納ユニットばね８６によって吸収されるが、ばねの伸びによって吸収されない長さ分は、当該可撓性フィルム９１に連結されている格納ユニット８３が引き込み方向に引き込まれることによって吸収される。
【００７１】
また、フィルム引張りコイルばね９２によって、長尺状の可撓性フィルム９１が常に緊張状態に保持される。よって、開閉蓋４およびプラテンユニット３０を閉じた状態において、可撓性フィルム９１における弛みの生じた部分が、ロール紙プリンター１の内部に構成部品と干渉してしまうという弊害を回避できる。
【００７２】
なお、引き込み部材９０の第２端９５の連結先は、第２リンク５２以外の部位とすることも可能である。第２リンク５２と同様に開閉蓋４の開閉に連動して開閉する開閉部材であればよい。本例のようにプラテンユニット３０を支持している６節リンク機構４２の構成部品であるリンクを利用すれば、別部品を取り付ける必要がないという利点がある。
【００７３】
（開閉蓋の開閉に伴うテンションローラーの引き込み動作）
図１６は上記構成のテンションローラー支持機構８０の動作を示す説明図である。まず、開閉蓋４およびプラテンユニット３０が閉じ位置にある場合には、テンションローラー支持機構８０は、図１６（ａ）、図３、図１１、図１３（ａ）、図１４（ａ）および図１５に示す状態にある。この状態では、テンションローラーユニット８１がテンションローラーユニットばね８５によって最大突出位置に保持されており、テンションローラー１５も最大突出位置の状態にある。
【００７４】
テンションローラー１５に記録紙１３が架け渡された状態において、記録紙１３の張力が変動すると（紙送り負荷が変動すると）、テンションローラー１５がそれに応じて引き込み方向および突出方向に移動して、張力変動を緩和する。例えば、記録紙１３に大きな張力が作用すると、図１６（ｂ）に示すように、テンションローラーユニット８１がテンションローラーユニットばね８５のばね力に逆らって引き込み方向に大きく移動して、記録紙１３の張力を緩和させる。テンションローラーユニット８１の最大引き込み位置は、先に述べたように、そのスライド溝８２ｅの突出側の端８２ｆが突出側軸部材８７に当たることによって規制される。
【００７５】
これに対して、格納ユニット８３の側は、格納ユニットばね８６によって突出側に引かれており、そのスライド溝８３ｅの引き込み側の端８３ｇが引き込み側軸部材８８に当接した最大突出位置に保持されている。よって、格納ユニット８３は前後に移動することがない。
【００７６】
次に、開閉蓋４およびプラテンユニット３０を開くと、引き込み部材９０が架け渡されている第１端９４と第２端９５の間の架け渡し長さＬが漸増する。この結果、格納ユニット８３が引き込み部材９０によって引き込み方向Ｂに引かれる。各ばねのばね力および伸び量、架け渡し長さの増加量を適切に設定しておくことにより、開閉蓋４およびプラテンユニット３０を完全に開けた状態において、図１６（ｃ）に示すように、格納ユニット８３をその最大引き込み位置まで引き込むことができる。すなわち、そのスライド溝８３ｅの突出側の端８３ｆが突出側軸部材８７に当接した位置まで引き込むことができる。
【００７７】
先に述べたように、格納ユニット８３の突出側の前端縁部８３ｄの突出側には、テンションローラーユニット８１の係合片８２ｄが位置している。したがって、格納ユニット８３が引き込み側に移動すると、当該格納ユニット８３がテンションローラーユニット８１に係合して、当該テンションローラーユニット８１を一緒に最大引き込み位置まで移動させる。
【００７８】
ここで、開閉蓋４およびプラテンユニット３０が完全に開いた状態においては、テンションローラー支持機構８０は、図１２、図１３（ｂ）、図１４（ｂ）に示すように、プラテンユニット３０の後端に搭載されているテンションローラー１５は前方に引き込まれた状態になる。この結果、プラテンユニット３０の後側に位置するロール紙受け皿１１の前端部などにテンションローラー１５が干渉することがない。また、ロール紙収納部７の前側開口にテンションローラー１５が突出した状態となり、ロール紙１２の交換作業に支障を来すこともない。
【００７９】
図１７（ａ）は、本例のテンションローラー支持機構８０における開閉蓋４の開き角度に対する各ばね８５、８６、９２のばね荷重の変化を示すグラフである。図１７（ｂ）は、開閉蓋４の開き角度に対する格納ユニットばね８６の伸び量、フィルム引張りばね９２の伸び量、および、引き込み部材９０の架け渡し長さＬ（第１端９４から第２端９５までの架け渡し長さ）の変化を示すグラフである。
【００８０】
本例では、テンションローラーユニットばね８５のばね荷重Ａが、常に、格納ユニットばね８６のばね荷重Ｂよりも大きい状態に設定されている。また、開閉蓋４およびプラテンユニット３０を閉じ位置から開き始めると、最初のうちは、架け渡し長さＬが第２リンク５２の開き角度の増加に伴って減少し、しかる後に開き角度に増加に伴って増加する。この変化に応じて、フィルム引張りばね９２のばね荷重Ｃが最初は減少した後に徐々に増加していく。第２リンク５２が所定角度を超えると、曲線Ｄで示すように、テンションローラーユニットばね８５および格納ユニットばね８６のばね荷重の合計値（合計引張り力）と、フィルム引張りばね９２のばね荷重（単独引張り力）が釣り合った状態になり、その後は、第２リンク５２が完全に開くまでこの釣り合い状態が維持される。
【００８１】
すなわち、各ばね８５、８６、９２は、図１７（ｂ）において曲線Ｅ、Ｆで示すように、第２リンク５２の開き角度が増加するのに伴って徐々に引き伸ばされながら平衡状態を維持する。図１７（ｂ）の曲線Ｅはばね８６の伸び量を示し、曲線Ｆはばね９２の伸び量を示す。この結果、引き込み部材９０の架け渡し長さＬの増加分における、ばねの伸びによって吸収される分以外の増加量は図１７（ｂ）の曲線Ｇで示すように変化し、この増加分に対応する量だけ、格納ユニット８３が引き込み方向に引き込まれる。この増加量を適切に設定しておくことにより、上記のように、開閉蓋４およびプラテンユニット３０を完全に開いた状態において、格納ユニット８３をその最大引き込み位置まで移動させ、格納ユニット８３によってテンションローラーユニット８１もその最大引き込み位置まで移動させることができる。
【００８２】
なお、図１７に示す開閉蓋の開き角度に対するばねの伸び量の変化、架け渡し長さＬの変化は一例を示すものである。例えば、それぞれのばねの伸び量が開き角度に応じて単調増加するように設定することもできる。
【符号の説明】
【００８３】
１  ロール紙プリンター、２  プリンターケース、３  開口部、４  開閉蓋、４Ａ  開閉蓋閉じ位置、４Ｂ  開閉蓋開き位置、５  記録紙排出ガイド、５ａ  操作片、６  記録紙排出口、７  ロール紙収納部  ８ａ電源スイッチ、８ｂ  紙送りスイッチ、８ｃ  動作状態表示ランプ、９  インクカートリッジ装着部、９ａ  装着口、１０  インクカートリッジ、１１  ロール紙受け皿、１２  ロール紙、１３  記録紙、１４  繰り出しローラー、１５  テンションローラー、１６  プラテン、１７  印刷ヘッド、１７ａ  ノズル面、１８  ヘッドキャリッジ、１９  ガイド軸、２０  紙送り駆動ローラー、２１  紙送り従動ローラー、２２  排紙駆動ローラー、２３  排紙従動ローラー、２５  記録紙切断機構、２５ａ  固定刃、２５ｂ  可動刃、３０  プラテンユニット、３０Ａ  閉じ位置、３０Ｂ  開き位置、３８  側板、４０  プラテン支持機構、４１  ガイド機構、４２  ６節リンク機構、４３  プラテンユニットガイド溝、４３ａ  位置決め用ガイド溝部分、４３ｂ  直線状ガイド溝部分、４３ｃ  傾斜ガイド面、４４  支軸、４４ａ  軸端部、４６  開閉蓋取り付け枠、４６ａ  下側枠、４６ｂ  上側枠、５１  第１リンク、５２  第２リンク、５２ａ  ばね掛け、５２ｂ  開口、５３  第３リンク、５４  第４リンク、５５  第５リンク、６１  第１ピン節点、６１ａ  支軸ピン、６２  第２ピン節点、６２ａ  支軸ピン、６３  第３ピン節点、６４  第４ピン節点、６５  第５ピン節点、６６、第６ピン節点、７１  第１複合リンク、７２  第２複合リンク、Ｓ１  第１移動軌跡、Ｓ２  第２移動軌跡、８０  テンションローラー支持機構、８１  テンションローラーユニット、８２  ローラー支持枠、８２ａ  側板、８２ｂ  側板、８２ｃ  底板、８２ｄ  係合片、８２ｅ  第１スライド溝、８２ｆ  端、８２ｇ  端、８２ｈ  ばね掛け、８３  格納ユニット、８３ａ  側板、８３ｂ  側板、８３ｃ  底板、８３ｄ  前端縁部、８３ｅ  第２スライド溝、８３ｆ  端、８３ｇ  端、８３ｈ  ばね掛け、８４  プラテンユニットフレーム、８４ａ  側板、８４ｂ  側板、８４ｃ  天板、８４ｄ  ばね掛け、８５  テンションローラーユニットばね、８６  格納ユニットばね、８７  第１軸部材、８８  第２軸部材、９０  引き込み部材、９１  可撓性フィルム、９２  フィルム引張りコイルばね、９３  固定金具、９４  第１端、９５  第２端、９６  ガイドプーリー、９７  ガイドプーリー、Ａ  突出方向、Ｂ  引き込み方向、Ｌ  部材架け渡し長さ
【図１】
2011093218.tif 000003
【図２】
2011093218.tif 000004
【図３】
2011093218.tif 000005
【図４】
2011093218.tif 000006
【図５】
2011093218.tif 000007
【図６】
2011093218.tif 000008
【図７】
2011093218.tif 000009
【図８】
2011093218.tif 000010
【図９】
2011093218.tif 000011
【図１０】
2011093218.tif 000012
【図１１】
2011093218.tif 000013
【図１２】
2011093218.tif 000014
【図１３】
2011093218.tif 000015
【図１４】
2011093218.tif 000016
【図１５】
2011093218.tif 000017
【図１６】
2011093218.tif 000018
【図１７】
2011093218.tif 000019